(57)【特許請求の範囲】
【請求項１】
特定鉄道沿線の各駅に情報を特定の利用者に提供する局所情報提供装置を備え、
前記局所情報提供装置は、
前記利用者が予め登録されているか否かを確認する利用者登録確認手段と、
前記利用者登録確認手段によって前記利用者が登録されていることが確認されたとき、  前記利用者に対して情報を送信する情報送信手段と、
前記利用者を特定するコードを受信する利用者コード受信手段と、
前記利用者を特定するコードを送信する利用者コード送信手段と、
を備え、
一の駅の前記局所情報提供装置は、利用者を特定するコードを前記他の駅の前記局所情報提供装置に送り、前記利用者が前記一の駅から前記他の駅に移動したときに、前記利用者は、前記他の駅の前記局所情報提供装置から情報が受けられることを特徴とする分散型情報サービスシステム。
【請求項２】
前記利用者は、携帯型端末装置を所持し、
前記携帯型端末装置は、前記利用者を特定するコードを送信し、前記情報送信手段から送信された前記情報を受信し、表示することを特徴とする請求項１記載の分散型情報サービスシステム。
【請求項３】
前記情報送信手段によって送信された情報を受信し、表示する装置は、駅務機器であることを特徴とする請求項１記載の分散型情報サービスシステム。
【請求項４】
前記情報送信手段によって送信された情報を受信し、表示する装置は、前記一の駅と前記他の駅に設置された専用端末装置であることを特徴とする請求項１記載の分散型情報サービスシステム。
【請求項５】
前記各駅に備えられた前記局所情報提供装置の利用状況情報を受信し、前記利用状況情報を管理し、前記各駅に備えられた前記局所情報提供装置に情報を送る中央管理装置を備えることを特徴とする請求項１〜４のいずれか１項に記載の分散型情報サービスシステム。
【発明の詳細な説明】
【技術分野】
【０００１】
本発明は分散型情報サービスシステムに関し、特に、駅や特定の商店街等の限られた範囲で情報提供サービスを行う分散型情報サービスシステムに関する。
【背景技術】
【０００２】
近年、公共交通機関の利用者に車両の運行状況や観光案内等の情報を提供する情報提供サービスが行われてきている。その情報提供サービスを行うシステムは、例えば、利用者が駅の改札機を通過することを検知し、その検知した情報を基に案内情報提供システムサーバから利用者に関係した情報を利用者端末に送ることにより情報を提供するシステムである（例えば、特許文献１参照）。
【特許文献１】特開２００５−１４９４２６号公報
【発明の開示】
【発明が解決しようとする課題】
【０００３】
特許文献１に開示される情報提供サービスシステムでは、利用者が駅の改札機を通過した情報を処理し、その利用者への情報の提供をする処理を案内情報提供システムサーバで行うという、すなわち、センター管理方式が採られている。この情報提供サービスシステムでは、サービスを受けることを登録した公共交通機関の路線での各駅を利用する利用者すべてに、案内情報提供システムサーバで情報提供の処理を行わなければならず、そのサーバ自体が大容量のものが必要となってくる。そのため、そのサーバを用いた情報提供サービスシステムは、大掛かりなシステムとなり、そのシステムを運営するためのコストもより多くかかってしまうという問題点がある。
【０００４】
本発明の目的は、上記の課題に鑑み、センター管理方式を採らずに限られた範囲内での情報提供を処理する複数の情報提供装置を分散させて設置することによりシステムが大掛かりでなく運営コストも抑えることができる分散型情報サービスシステムを提供することにある。
【課題を解決するための手段】
【０００５】
本発明に係る分散型情報サービスシステムは、上記目的を達成するために、次のように構成される。
【００１３】
第１の分散型情報サービスシステム（請求項１に対応）は、特定鉄道沿線の各駅に情報を特定の利用者に提供する局所情報提供装置を備え、局所情報提供装置は、利用者が予め登録されているか否かを確認する利用者登録確認手段と、利用者登録確認手段によって利用者が登録されていることが確認されたとき、利用者に対して情報を送信する情報送信手段と、利用者を特定するコードを受信する利用者コード受信手段と、利用者を特定するコードを送信する利用者コード送信手段と、を備え、一の駅の局所情報提供装置は、利用者を特定するコードを他の駅の局所情報提供装置に送り、利用者が一の駅から他の駅に移動したときに、利用者は、他の駅の局所情報提供装置から情報が受けられることで特徴づけられる。
【００１４】
第２の分散型情報サービスシステム（請求項２に対応）は、上記の構成において、好ましくは利用者は、携帯型端末装置を所持し、携帯型端末装置は、利用者を特定するコードを送信し、情報送信手段から送信された情報を受信し、表示することで特徴づけられる。
【００１５】
第３の分散型情報サービスシステム（請求項３に対応）は、上記の構成において、好ましくは情報送信手段によって送信された情報を受信し、表示する装置は、駅務機器であることで特徴づけられる。
【００１６】
第４の分散型情報サービスシステム（請求項４に対応）は、上記の構成において、好ましくは情報送信手段によって送信された情報を受信し、表示する装置は、一の駅と他の駅に設置された専用端末装置であることで特徴づけられる。
【００１７】
第５の分散型情報サービスシステム（請求項５に対応）は、上記の構成において、好ましくは各駅に備えられた局所情報提供装置の利用状況情報を受信し、利用状況情報を管理し、各駅に備えられた局所情報提供装置に情報を送る中央管理装置を備えることで特徴づけられる。
【発明の効果】
【００１８】
本発明によれば、特定鉄道沿線の各駅に情報を特定の利用者に提供する局所情報提供装置を備え、局所情報提供装置は、利用者が予め登録されているか否かを確認する利用者登録確認手段と、利用者登録確認手段によって利用者が登録されていることが確認されたとき、利用者に対して情報を送信する情報送信手段と、利用者を特定するコードを受信する利用者コード受信手段と、利用者を特定するコードを送信する利用者コード送信手段と、を備え、一の駅の局所情報提供装置は、利用者を特定するコードを他の駅の局所情報提供装置に送り、利用者が一の駅から他の駅に移動したときに、利用者は、他の駅の局所情報提供装置から情報が受けられるため、センター管理方式を採らずに各駅での情報提供を処理する複数の情報提供装置を分散させて設置するので、システムが大掛かりでなく運営コストも抑えることができる。また、一の駅で情報提供サービスを受けることができる利用者は、他の駅でも同様に情報提供サービスを受けることができる。
また、本発明によれば、限られた範囲内に情報を提供する局所情報提供装置を用いることにより、装置の性能を限られた範囲に必要な性能に限定でき、設備投資を低く抑えることができる。
さらに、本発明によれば、限られた範囲内での情報提供を行うので、情報提供のための処理が大規模でないため、情報提供のための時間的応答を短時間で行うことができる。
また、本発明によれば、複数の箇所で同じ仕様の局所情報提供装置を利用することが可能なため、容易にこのシステムを構築することができる。
さらに、本発明によれば、中央管理装置を備え、各局所情報提供装置の利用状況を集計し、管理するので、利用者統計を容易に得ることができる。
また、本発明によれば、中央管理装置から各局所情報提供装置に情報を送ることができるので、各箇所に共通の情報を一斉に送り、利用者にその情報を提供することができる。
【発明を実施するための最良の形態】
【００１９】
以下に、本発明の好適な実施形態（実施例）を添付図面に基づいて説明する。
【００２０】
図１は、本発明の実施形態に係る分散型情報サービスシステムの構成を示す図である。分散型情報サービスシステム１０は、駅や特定の商店街等の限られた範囲での情報提供サービスを行うシステムである。図１において、符号１１，１２は、駅を示したものであり、符号１３は、線路を模式的に示したものである。また符号１４，１５は、商店街を示すものであり、符号１６，１７は、商店街１４に通じる道路を示すものであり、符号１８，１９は、商店街１５に通じる道路を示すものである。
【００２１】
分散型情報サービスシステム１０は、駅１１，１２の構内にそれぞれ局所情報提供装置２０，２１を備え、商店街１４，１５にそれぞれ局所情報提供装置２２，２３を備えている。また、分散型情報サービスシステム１０は、駅１１，１２の構内の出入口２４，２５付近にそれぞれ局所情報提供装置２０，２１に接続された利用者検知部２６，２７を備え、また、駅１１，１２の構内にもそれぞれ局所情報提供装置２０，２１に接続された利用者検知部２８，２９を備えている。さらに、分散型情報サービスシステム１０は、商店街１４の出入口３０，３１にそれぞれ局所情報提供装置２２に接続された利用者検知部３２，３３を備え、商店街１５の出入口３４，３５にそれぞれ局所情報提供装置２３に接続された利用者検知部３６，３７を備えている。利用者検知部２６，２７，２８，２９，３２，３３，３６，３７は、無線マーカ、光マーカ、タグまたはリーダ等によって構成され、有線または、無線ＬＡＮでそれぞれの局所情報提供装置と接続されている。
【００２２】
分散型情報サービスシステム１０では、駅１１，１２の構内にそれぞれ局所情報提供装置２０，２１と接続された情報表示用の端末装置３８，３９が設けられ、商店街１４，１５内にそれぞれ局所情報提供装置２２，２３と接続された情報表示用の端末装置４０，４１が設けられている。また、局所情報提供装置２０，２１は、それぞれ駅１１，１２の構内に設けられた券売機４２，４３に接続されている。さらに、局所情報提供装置２０，２１は、それぞれ駅１１，１２の構内に設けられた精算機４４，４５に接続されている。分散型情報サービスシステム１０は、１箇所の所定の場所に中央管理装置４６を備えている。局所情報提供装置２０，２１，２２，２３と中央管理装置４６は、通信回線４７で接続されている。また、図１には、駅の構内に入場しようとしている利用者５０が示されており、利用者５０は、携帯型端末装置５１を所持または装備している。また、局所情報提供装置２０は、駅１１内という限られた範囲内で情報を利用者に提供する。さらに、局所情報提供装置２１は、駅１２内という限られた範囲内で情報を利用者に提供する。また、局所情報提供装置２２は、商店街１４内という限られた範囲内で情報を利用者に提供する。さらに、局所情報提供装置２３は、商店街１５内という限られた範囲内で情報を利用者に提供する。
【００２３】
分散型情報サービスシステム１０では、利用者検知部２６は、駅の構内の出入口２４に来た利用者５０の存在を検知し、局所情報提供装置２０にその検知信号を送る。検知信号を受けた局所情報提供装置２０は、携帯型端末装置５１に利用者コード送信命令信号を送る。利用者コード送信命令信号を受信した携帯型端末装置５１は、記憶されている利用者コードを局所情報提供装置２０に送る。利用者コードを受信した局所情報提供装置２０は、その利用者コードがサービス受給者リストにあるか否かを検索する。利用者コードがそのリストにない場合は、その通知を送り、情報提供サービスを停止する。もし、利用者コードがリストにある場合には、携帯型端末装置に情報提供サービス開始画面を送る。そして、利用者は、その画面の案内に従って情報提供サービスを受けることができる。また、利用者が事前に受けたいサービスの種類を局所情報提供装置２０に登録しておくことにより、好みの情報サービスを受けることができる。
【００２４】
また、電車から降りて駅１１の構内に入った場合には、利用者検知部２８によって利用者の検知が行われ、利用者検知部２６で検知されたときと同様の手順で情報提供サービスを受けることができる。さらに、券売機４２、精算機４４、または専用端末装置３８からは、情報提供を受けたい場合は、それぞれの装置に設けられた情報提供専用の入力装置から利用者コードを入力することにより、その利用者コードが局所情報提供装置２０に登録されていれば情報提供を、券売機４２、精算機４４、専用端末装置３８のそれぞれの表示画面から受けることができる。
【００２５】
駅１２においても駅１１と同様にして局所情報提供装置２１から情報提供を受けることができる。
【００２６】
また、分散型情報サービスシステム１０では、利用者検知部３２，３３は、商店街の出入口３０，３１に来た利用者５０の存在を検知し、局所情報提供装置２２にその検知信号を送る。検知信号を受けた局所情報提供装置２２は、携帯型端末装置５１に利用者コード送信命令信号を送る。利用者コード送信命令信号を受信した携帯型端末装置５１は、記憶されている利用者コードを局所情報提供装置２２に送る。利用者コードを受信した局所情報提供装置２２は、その利用者コードがサービス受給者リストにあるか否かを検索する。利用者コードがそのリストにない場合は、その通知を送り、情報提供サービスを停止する。もし、利用者コードがリストにある場合には、携帯型端末装置に情報提供サービス開始画面を送る。そして、利用者は、その画面の案内に従って情報提供サービスを受けることができる。
【００２７】
また、専用端末装置４０からは、情報提供を受けたい場合は、専用端末装置４０に設けられた情報提供専用の入力装置から利用者コードを入力することにより、その利用者コードが局所情報提供装置２２に登録されていれば情報提供を表示画面から受けることができる。
【００２８】
商店街１５においても商店街１４と同様にして局所情報提供装置２３から情報提供を受けることができる。
【００２９】
また、分散型情報サービスシステム１０では、利用者が駅１１から電車に乗り、駅１２に行くときは、利用者コードが局所情報提供装置２０から通信回線４７を介して、駅１２の局所情報提供装置２１に送られ、駅１２においても同様の情報提供サービスを受けることができる。さらに利用者が駅１１から商店街１４または商店街１５に行くときは、利用者コードが局所情報提供装置２０から通信回線４７を介して、商店街１４の局所情報提供装置２２または商店街１５の局所情報提供装置２３に送られ、商店街１４または商店街１５においても同様の情報提供サービスを受けることができる。
【００３０】
局所情報提供装置２０，２１，２２，２３に記憶された情報提供サービスの利用状況は、通信回線４７を介して中央管理装置４６に送られる。その中央管理装置４６に送られた利用状況は、マーケティングに利用することができる。また、中央管理装置４６からは、列車の遅延情報等を各局所情報提供装置２０，２１，２２，２３に一斉に送ることにより、各駅、各商店街の利用者は、列車の遅延情報を得ることができる。
【００３１】
次に、図２〜図８を参照して分散型情報サービスシステム１０を説明する。図２は局所情報提供装置の機能ブロック図である。図３は、中央管理装置の機能ブロック図である。図４〜図８は、分散型情報サービスシステム１０の代表的動作を示すフローチャートである。
【００３２】
局所情報提供装置２０，２１，２２，２３は、同一の装置であるので、ここでは局所情報提供装置２０についてのみ説明する。図２に示すように、局所情報提供装置２０は、利用者登録確認部６０と情報送信部６１と制御部６２と記憶部６３と利用者コード受信部６４と利用者コード送信部６５と中央情報受信部６６と利用状況情報送信部６７を備えている。記憶部６３には、各駅、各商店街に特有の情報、例えば、車両の運行状況、座席予約状況、イベント予約状況、観光案内等の情報と、利用者コードによるサービス受給者リストと、サービスの選択内容、利用頻度等の利用状況が記憶されている。利用者登録確認部６０は、制御部６２からの指令で携帯型端末装置５１に利用者コード送信命令を送り、携帯型端末装置５１からの利用者コードを受信し、記憶部６３に記憶されるサービス受給者リストに利用者コードが登録されているかを検索し、利用者コードがない場合は、ないことを示す信号を制御部６２に送り、情報提供を停止し、利用者コードがある場合は、あることを示す信号を制御部６２に送る。また、利用者登録確認部６０は、端末装置３８、券売機４２、精算機４４から入力された利用者コードを受け、記憶部６３に記憶されるサービス受給者リストを検索し、記憶部６３に利用者コードが登録されているかを検索し、利用者コードがない場合は、ないことを示す信号を制御部６２に送り、情報提供を停止し、利用者コードがある場合は、あることを示す信号を制御部６２に送る。情報送信部６１は、制御部６２から情報送信命令を受けると記憶部６３に記憶された情報を読み出し、情報を送る。利用者コード送信部６５は、記憶部６３に記憶される利用者コードをその利用者が次に行くエリアに設けられた局所情報提供装置、例えば駅１２の局所情報提供装置１２に送る。利用者コード受信部６４は、他の局所情報提供装置から送られた利用者コードを受信し、記憶部６３に記憶する。利用状況情報送信部６７は、局所情報提供装置２０の利用状況を中央管理装置４６に送る。中央情報受信部６６は、中央管理装置４６からの情報を受信する。制御部６２は、利用者登録確認部６０と情報送信部６１と利用者コード送信部６５と利用者コード受信部６４と利用状況情報送信部６７と中央情報受信部６６と記憶部６３の動作を制御する。
【００３３】
図３は、中央管理装置の機能ブロック図である。中央管理装置４６は、利用状況情報受信部７０と中央情報送信部７１と制御部７２と記憶部７３を備えている。利用状況情報受信部７０は、各局所情報提供装置から定期的に送られてくる利用状況情報を受信し、記憶部７３に記憶する。管理者は、その記憶した利用状況を見ることにより、マーケティング等に利用することができる。中央情報送信部７１は、列車遅延情報などの各エリアに共通の情報を一斉に局所情報提供装置２０，２１，２２，２３に送信する。それにより、各局所情報提供装置２０，２１，２２，２３は、利用者にその情報を提供することができる。制御部７２は、記憶部７３と利用状況情報受信部７０と中央情報送信部７１を制御する。
【００３４】
図４は、分散型情報サービスシステムの第１の代表的動作を示すフローチャートである。なお、以下で示す図４〜図７では、図１で示した駅１１での利用を想定しての動作を説明する。他の限られた範囲である駅１２、商店街１４，商店街１５での利用においても以下で説明する動作と同様の動作を行う。分散型情報サービスシステム１０では、利用者検知部２６または利用者検知部２８からの検知信号を局所情報提供装置２０の制御部６２が受信すると（ステップＳ１１）、制御部６２は、利用者登録確認部６０に動作命令を送る（ステップＳ１２）。動作命令を受けた利用者登録確認部６０は、利用者コード送信命令を携帯型端末装置５１に送る（ステップＳ１３）。その信号を受けた携帯型端末装置５１は、利用者コードを送る（ステップＳ１４）。利用者コードを受けた利用者登録確認部６０は、記憶部６３のサービス受給者リストを検索し（ステップＳ１５）、利用者コードがそのリストにあるか否か判断する（ステップＳ１６）。利用者コードがない場合は、ないことを示す信号を制御部６２に送る（ステップＳ１７）。制御部６２は、情報提供停止命令を情報送信部６１に送る（ステップＳ１８）。情報送信部は、情報を送らない（ステップＳ１９）。また、利用者コードがある場合には、あることを示す信号を制御部６２に送る（ステップＳ２０）。制御部６２は、情報送信部６１に動作命令を送る（ステップＳ２１）。情報送信部６１は、記憶部６３から情報を取りだし、携帯型端末装置５１に送る（ステップＳ２２）。携帯型端末装置５１はその送られた情報を表示する（ステップＳ２３）。それにより、利用者５０は、情報を得ることができる。
【００３５】
図５は、分散型情報サービスシステムの第２の代表的動作を示すフローチャートである。分散型情報サービスシステム１０では、券売機４２、精算機４４、専用端末装置３８を利用すると（ステップＳ３１）、利用者登録確認部６０は作動し（ステップＳ３２）、利用者コード入力命令画面を券売機４２、精算機４４、または専用端末装置３８に送り（ステップＳ３３）、利用者に利用者コードを入力してもらう（ステップＳ３４）。入力された利用者コードを利用者登録確認部６０は、記憶部６３で検索し（ステップＳ３５）、利用者コードがそのリストにあるか否か判断する（ステップＳ３６）。もし、利用者コードが登録されていなければ、制御部６２にその登録されていないことを示す信号を送る（ステップＳ３７）。制御部６２は、情報提供停止命令を情報送信部６１に送る（ステップＳ３８）。情報送信部６１は、送信を停止する（ステップＳ３９）。一方、利用者コードが登録されていた場合、登録されていたことを示す信号を制御部６２に送る（ステップＳ４０）。制御部６２は、情報提供命令信号を情報送信部６１に送る（ステップＳ４１）。情報送信部６１は、記憶部６３から情報を取りだし券売機４２、精算機４４、端末装置３８に送る（ステップＳ４２）。その情報を受けた券売機４２、精算機４４、端末装置３８はその情報を表示する（ステップＳ４３）。それにより、利用者は、情報を得ることができる。
【００３６】
図６は、分散型情報サービスシステムの第３の代表的動作を示すフローチャートである。分散型情報サービスシステム１０では、利用者が別のエリアに行くときは、携帯型端末装置５１、券売機４２，精算機４４、または専用端末装置３８から局所情報提供装置２０の利用者登録確認部６０に行き先を示す情報を送る（ステップＳ５１）。専用情報提供装置２０の利用者登録確認部６０は行き先の情報を記憶部６３に記憶する（ステップＳ５２）。局所情報提供装置２０の制御部６２は、利用者コード送信部６５を動作させ、記憶部６３に記憶された利用者コードを行き先に設けられた局所情報提供装置に送る（ステップＳ５３）。例えば、行き先が駅１２のときには、利用者コードを局所情報提供装置２１に送る。その行き先での局所情報提供装置の利用者コード受信部は、利用者コードを受信し、記憶部に記憶する（ステップＳ５４）。それにより、行き先でも利用者は同様の情報提供サービスを受けることができる。
【００３７】
図７と図８は、それぞれ分散型情報サービスシステムの第４と第５の代表的動作を示すフローチャートである。分散型情報サービスシステム１０では、局所情報提供装置２０の記憶部６３は、局所情報提供装置の利用状況を記憶している（ステップＳ６１）。その記憶している利用状況情報を利用状況情報送信部６７によって通信回線を介して定期的に中央管理装置４６に送る（ステップＳ６２）。それにより、中央管理装置４６は、各局所情報提供装置の利用状況を集計し（ステップＳ６３）、そのデータをマーケティングに利用することができる。また、図８に示すように、中央管理装置４６から局所情報提供装置２０，２１，２２，２３に一斉に情報を送ると（ステップＳ７１）、局所情報提供装置２０では、中央管理装置４６からの情報を中央情報受信部６６が受け、記憶部６３に記憶し（ステップＳ７２）、その情報も利用者に提供する（ステップＳ７３）。他の局所情報提供装置２１，２２，２３においても同様に、それぞれ情報の記憶（ステップＳ７４，ステップＳ７５，ステップＳ７６）と、情報の提供を行う（ステップＳ７７，ステップＳ７８，ステップＳ７９）。
【００３８】
上記のようにこの分散型情報サービスシステムでは、センター管理方式を採らずに限られた範囲内での情報提供を処理する複数の情報提供装置を分散させて設置するので、システムが大掛かりでなく運営コストも抑えることができる。
【００３９】
なお、上記の実施形態では、携帯型端末装置を用いて説明したが、その携帯型端末装置の機能を設けた携帯電話を利用しても良い。また、本実施形態では、駅１１，１２と商店街１４，１５の４つの範囲を用いて説明したが、それに限らず、４つ以外の複数の範囲を設けても同様のシステムを構築することができることは言うまでもない。
【００４０】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００４１】
本発明は、駅、商店街等を利用する利用者のために情報を提供するための分散型情報サービスシステムとして利用される。
【図面の簡単な説明】
【００４２】
【図１】本発明の実施形態に係る分散型情報サービスシステムの構成を示す図である。
【図２】局所情報提供装置の機能ブロック図である。
【図３】中央管理装置の機能ブロック図である。
【図４】分散型情報サービスシステムの第１の代表的動作を示すフローチャートである。
【図５】分散型情報サービスシステムの第２の代表的動作を示すフローチャートである。
【図６】分散型情報サービスシステムの第３の代表的動作を示すフローチャートである。
【図７】分散型情報サービスシステムの第４の代表的動作を示すフローチャートである。
【図８】分散型情報サービスシステムの第５の代表的動作を示すフローチャートである。
【符号の説明】
【００４３】
１０      分散型情報サービスシステム
１１      駅
１２      駅
１３      線路
１４      商店街
１５      商店街
２０      局所情報提供装置
２１      局所情報提供装置
２２      局所情報提供装置
２３      局所情報提供装置
２６      利用者検知部
２７      利用者検知部
２８      利用者検知部
２９      利用者検知部
３８      端末装置
３９      端末装置
４０      端末装置
４１      端末装置
４２      券売機
４３      券売機
４４      精算機
４５      精算機
５０      利用者
５１      携帯型端末装置
【図１】
0005363699.tif 000002
【図２】
0005363699.tif 000003
【図３】
0005363699.tif 000004
【図４】
0005363699.tif 000005
【図５】
0005363699.tif 000006
【図６】
0005363699.tif 000007
【図７】
0005363699.tif 000008
【図８】
0005363699.tif 000009